(57)【特許請求の範囲】
【請求項１】
ユーザ端末と、回収者端末と、前記ユーザ端末および前記回収者端末とネットワークを介して接続される管理サーバであって、
プロジェクト画面の生成に要する回収者情報を回収者情報記憶部から取得し、取得した前記回収者情報に含まれるプロジェクトデータを抽出し、抽出した前記プロジェクトデータに基づいてプロジェクト画面を生成するプロジェクト画面生成部と、
生成した前記プロジェクト画面を前記ユーザ端末に提供するプロジェクト画面提供部と、を有し、
前記プロジェクトデータは、移動式熱処理装置によって回収された有機物ゴミの回収量の情報を含み、
前記回収量は、前記回収者端末が回収作業後に回収者から入力を受付けて前記管理サーバに送信することにより更新される、
管理サーバ。
【請求項２】
請求項１に記載の管理サーバにおいて、
前記ユーザ端末が、ユーザからノベルティタブの押下入力を受付けた場合に、回収者情報記憶部から取得した回収者情報に含まれるプロジェクトデータを抽出し、ユーザ情報記憶部から取得したユーザ情報に含まれる活動データを抽出し、抽出した前記プロジェクトデータと前記活動データとに基づいて分析結果を生成する回収物分析部と、
ノベルティ販売画面の生成に要するユーザ情報を取得し、取得した前記ユーザ情報に含まれる活動データを参照し対応する前記分析結果を抽出し、取得した前記ユーザ情報と抽出した前記分析結果とに基づいてノベルティ販売画面を生成するノベルティ販売画面生成部と、
生成した前記ノベルティ販売画面を前記ユーザ端末に提供するノベルティ販売画面提供部と、を有する、
管理サーバ。
【請求項３】
請求項２に記載の管理サーバにおいて、
前記ユーザ端末がユーザから前記ノベルティ販売画面が有する購入タブの押下入力を受付けた場合に、広告画面の生成に要するユーザ情報を取得し、取得した前記ユーザ情報に含まれる活動データを参照し対応する分析結果を抽出し、抽出した前記分析結果の内容に対応する広告用情報を抽出し、取得した前記ユーザ情報と抽出した前記広告用情報とに基づいて広告画面を生成する広告画面生成部と、
生成した前記広告画面を前記ユーザ端末に提供する広告画面提供部と、を有する、
管理サーバ。
【発明の詳細な説明】
【技術分野】
【０００１】
本発明は、管理サーバに関する。
【背景技術】
【０００２】
従来、家庭などから排出されるゴミの多くは火力により焼却処理されているが、焼却した場合、環境汚染や健康被害をもたらす有害物質が排出される。しかし、国内にあるリサイクル設備の多くが固定型、かつアクセスの不便なところに立地していることが多いため、リサイクル率が低い。また、一般企業にもリサイクル事業進出の門戸が開かれているが、設備導入などの初期コストが高く参入する企業が少ない。
【先行技術文献】
【特許文献】
【０００３】
【特許文献１】特開２００８−２５０９７４号公報
【発明の概要】
【発明が解決しようとする課題】
【０００４】
例えば、特許文献１には、リサイクル製品を生産する製造業者が原料を回収する場合に、回収資源に対して前記製造業者が有価価値を付与し、その有価価値を使用して、消費者が前記リサイクル製品を割引購入でき、前記リサイクル製品を回収する場合においても同様に有価価値を付与し、前記リサイクル製品又は前記リサイクル製品を原料として製造する再リサイクル成型品を割引購入できる資源回収システムが開示されている。
【０００５】
しかし、特許文献１は、移動式熱処理装置が有機物ゴミの回収処理を行い生成するセラミック灰を利用してノベルティ（二次生産物）を製造し、その販売を通じて循環型社会の進展に貢献可能なリサイクルシステムについて意図しているものではない。
【０００６】
本発明の目的は、移動式熱処理装置が有機物ゴミの回収処理を行い生成するセラミック灰を利用してノベルティを製造し、その販売を通じて循環型社会の進展に貢献可能なリサイクルシステムを提供することである。
【課題を解決するための手段】
【０００７】
本願において開示される発明のうち、代表的なものの概要を簡単に説明すれば、次の通りである。
【０００８】
本発明の一実施の形態は、ユーザ端末と、回収者端末と、ユーザ端末および回収者端末とネットワークを介して接続される管理サーバであって、プロジェクト画面の生成に要する回収者情報を回収者情報記憶部から取得し、取得した回収者情報に含まれるプロジェクトデータを抽出し、抽出したプロジェクトデータに基づいてプロジェクト画面を生成するプロジェクト画面生成部を有する。また、生成したプロジェクト画面をユーザ端末に提供するプロジェクト画面提供部を有する。また、プロジェクトデータは、移動式熱処理装置によって回収された有機物ゴミの回収量の情報を含み、回収量は、回収者端末が回収作業後に回収者から入力を受付けて管理サーバに送信することにより更新される。
【発明の効果】
【０００９】
本発明によれば、管理サーバは、移動式熱処理装置が有機物ゴミの回収処理を行い生成するセラミック灰を利用してノベルティを製造し、その販売を通じて循環型社会の進展に貢献できる。
【図面の簡単な説明】
【００１０】
【図１】本発明の一実施の形態におけるリサイクルシステムの構成例の概要を示す図である。
【図２】本発明の一実施の形態における管理サーバのユーザ情報記憶部に記憶されているユーザ情報および活動データの概要を示す図である。
【図３】本発明の一実施の形態における管理サーバの回収者情報記憶部に記憶されている回収者情報およびプロジェクトデータの概要を示す図である。
【図４】本発明の一実施の形態における全体処理の概要を示す図である。
【図５】本発明の一実施の形態におけるユーザ情報取得処理およびユーザ情報記憶処理の概要を示す図である。
【図６】本発明の一実施の形態における回収者情報取得処理および回収者情報記憶処理の概要を示す図である。
【図７】本発明の一実施の形態におけるプロジェクト画面の概要を示す図である。
【図８】本発明の一実施の形態におけるプロジェクト画面生成処理の概要を示す図である。
【図９】本発明の一実施の形態におけるプロジェクト画面提供処理の概要を示す図である。
【図１０】本発明の一実施の形態における回収物分析処理の概要を示す図である。
【図１１】本発明の一実施の形態におけるノベルティ販売画面の概要を示す図である。
【図１２】本発明の一実施の形態におけるノベルティ販売画面生成処理の概要を示す図である。
【図１３】本発明の一実施の形態におけるノベルティ販売画面提供処理の概要を示す図である。
【図１４】本発明の一実施の形態における広告画面の概要を示す図である。
【図１５】本発明の一実施の形態における広告画面生成処理の概要を示す図である。
【図１６】本発明の一実施の形態における広告画面提供処理の概要を示す図である。
【図１７】本発明の一実施の形態における作業の流れを示す概念図である。
【図１８】本発明の一実施の形態における作業の流れを示す概念図である。
【発明を実施するための形態】
【００１１】
以下、本発明を実施するための形態について図を参照しながら説明する。なお、これはあくまでも一例であって、本発明の技術的範囲はこれに限られるものではない。また、実施の形態を説明するための全図において、同一部には原則として同一の符号を付し、その繰り返しの説明は省略する。
＜システム構成＞
図１は、本発明の一実施の形態におけるリサイクルシステムの構成例の概要を示す図である。
【００１２】
図１に示されるように、リサイクルシステムは、ユーザ端末１００と、回収者端末１１０と、ユーザ端末１００および回収者端末１１０とネットワークを介して接続される管理サーバ１２０とを有する。
【００１３】
管理サーバ１２０は、ユーザ情報記憶部１３０と、回収者情報記憶部１３１と、プロジェクト画面記憶部１３２と、分析結果記憶部１３３と、ノベルティ販売画面記憶部１３４と、広告用情報データベース１３５と、広告画面記憶部１３６と、プロジェクト画面生成部１４０と、プロジェクト画面提供部１４１と、回収物分析部１５０と、ノベルティ販売画面生成部１６０と、ノベルティ販売画面提供部１６１と、広告画面生成部１７０と、広告画面提供部１７１と、を有する。
【００１４】
ユーザ情報記憶部１３０には、ユーザ情報２００（後述、図２）が記憶されている。回収者情報記憶部１３１には、回収者情報３００（後述、図３）が記憶されている。プロジェクト画面記憶部１３２には、プロジェクト画面７００（後述、図７）が記憶されている。分析結果記憶部１３３には、分析結果１０００（後述、図１０）が記憶されている。ノベルティ販売画面記憶部１３４には、ノベルティ販売画面１１００（後述、図１１）が記憶されている。広告画面記憶部１３６には、広告画面１４００（後述、図１４）が記憶されている。
【００１５】
プロジェクト画面生成部１４０は、プロジェクト画面７００の生成に要する回収者情報３００を回収者情報記憶部１３１から取得し、取得した回収者情報３００に含まれるプロジェクトデータ３１０を抽出し、抽出したプロジェクトデータ３１０に基づいてプロジェクト画面７００を生成する。
【００１６】
プロジェクト画面提供部１４１は、生成したプロジェクト画面７００をユーザ端末１００に提供する。
【００１７】
回収物分析部１５０は、ユーザ端末１００が、ユーザからノベルティタブ７３０の押下入力を受付けた場合に、回収者情報記憶部１３１から取得した回収者情報３００に含まれるプロジェクトデータ３１０を抽出し、ユーザ情報記憶部１３０から取得したユーザ情報２００に含まれる活動データ２１０を抽出し、抽出したプロジェクトデータ３１０と活動データ２１０とに基づいて分析結果１０００を生成する。
【００１８】
ノベルティ販売画面生成部１６０は、ノベルティ販売画面１１００の生成に要するユーザ情報２００を取得し、取得したユーザ情報２００に含まれる活動データ２１０を参照し対応する分析結果１０００を抽出し、取得したユーザ情報２００と抽出した分析結果１０００とに基づいてノベルティ販売画面１１００を生成する。
【００１９】
ノベルティ販売画面提供部１６１は、生成したノベルティ販売画面１１００をユーザ端末１００に提供する。
【００２０】
広告画面生成部１７０は、ユーザ端末１００がユーザからノベルティ販売画面１１００が有する購入タブ１１３０の押下入力を受付けた場合に、広告画面１４００の生成に要するユーザ情報２００を取得し、取得したユーザ情報２００に含まれる活動データ２１０を参照し対応する分析結果１０００を抽出し、取得した分析結果１０００の内容に対応する広告用情報１５００を抽出し、取得したユーザ情報２００と抽出した広告用情報１５００とに基づいて広告画面１４００を生成する。
【００２１】
広告画面提供部１７１は、生成した広告画面１４００をユーザ端末１００に提供する。
＜ユーザ情報記憶部＞
図２（ａ）は、本発明の一実施の形態における管理サーバ１２０のユーザ情報記憶部１３０に記憶されているユーザ情報２００の構成例の概要を示す図である。
【００２２】
図２（ａ）に示されるように、ユーザ情報２００は、ユーザＩＤ、ユーザ名、性別、年齢、住所、連絡先、活動データ２１０と、グループデータ等の項目により構成される。
【００２３】
ユーザＩＤは、管理サーバ１２０が、ユーザを識別するための符号を示す。氏名は、ユーザの氏名を示す。連絡先は、ユーザのメールアドレス等の連絡先を示す。
【００２４】
活動データ２１０は、ユーザ端末１００がユーザから入力を受け付けることで取得するユーザのプロジェクトに対する活動実績についての情報等を示す（詳細は後述する）。
【００２５】
グループデータは、ユーザが、他のユーザの中から希望するユーザを選定することで生成されるグループの情報を示す。例えば、ユーザは、知人、友人、プロジェクトの同期のメンバー等の、特定の仲間でグループを構成できる。すなわち、グループデータは、それら特定の仲間についてのユーザＩＤや活動データ２１０等の情報である。
【００２６】
図２（ｂ）は、本発明の一実施の形態における管理サーバ１２０のユーザ情報記憶部１３０に記憶されているユーザ情報２００に含まれる活動データ２１０の構成例の概要を示す図である。活動データ２１０は、活動ＩＤ、実行プロジェクト、予想回収量、貢献度、分析結果データ等の情報を示す。
【００２７】
活動ＩＤは、管理サーバ１２０が、活動データ２１０を識別するための符号を示す。
【００２８】
「実行プロジェクト」は、ユーザが実行するプロジェクトの情報を示す。例えば、実行プロジェクトは、プロジェクトＩＤ（詳細は後述）等の情報を含む。
【００２９】
なお、プロジェクトは、ユーザが有機物ゴミ（以降、ゴミと略記する）の回収を回収者に依頼することで、回収者によって発足される。
【００３０】
例えば、あるユーザ甲および乙が、２０２０年１２月１日にゴミの回収をしてもらうことを、回収者丙に依頼する場合、丙が「プロジェクトＩＤ：Ｐ０００１」等とＩＤを付してプロジェクトを発足する。この際に丙は、プロジェクトデータ３１０（詳細は後述する）を紐付けて、プロジェクトを管理する。
【００３１】
「予想回収量」は、ユーザが回収を依頼する有機物ゴミの予想回収量を示す。例えば、ユーザが回収を依頼する有機物ゴミの容量が５００ｋｇと予想される場合、予想回収量は、「５００ｋｇ」と示される。
【００３２】
「貢献度」は、ユーザが参加しているプロジェクトに対するユーザの貢献度合いを示す。例えば、ユーザが参加しているプロジェクトに対するユーザの貢献度合いが全体の３割程度である場合、貢献度は「３０％」と示される。なお、貢献度は、例えば、プロジェクトに参加している全てのユーザの回収量（総回収量と略記する）に対するユーザの回収量の割合として算出されるようにしても良い。
【００３３】
「分析結果データ」は、回収物分析部１５０によって生成された分析結果１０００についての情報を示す。回収物分析部１５０、および分析結果１０００の詳細については後述する。
＜回収者情報記憶部＞
図３は、本発明の一実施の形態における管理サーバ１２０の回収者情報記憶部１３１に記憶されている回収者情報３００およびプロジェクトデータ３１０の概要を示す図である。
【００３４】
図３（ａ）に示されるように、回収者情報３００は、回収者ＩＤ、回収者名、性別、年齢、住所、連絡先、対応エリア、プロジェクトデータ３１０等のデータ項目により構成される。
【００３５】
回収者ＩＤは、管理サーバ１２０が、回収者を識別するための符号を示す。回収者名は、回収者の氏名を示す。連絡先は、回収者のメールアドレス等の連絡先を示す。対応エリアは、回収者がユーザから受け付けたゴミの回収依頼の対応が可能なエリアについての情報を示す。
【００３６】
プロジェクトデータ３１０は、回収者端末１１０が回収者から入力を受け付けることで取得する回収者のプロジェクトについての情報等を示す（詳細は後述する）。
【００３７】
図３（ｂ）は、本発明の一実施の形態における管理サーバ１２０の回収者情報記憶部１３１に記憶されている回収者情報３００に含まれるプロジェクトデータ３１０の構成例の概要を示す図である。プロジェクトデータ３１０は、プロジェクトＩＤ、カテゴリ、日時、エリア、進捗状況、参加ユーザ等の情報を示す。また、プロジェクトデータ３１０は、移動式熱処理装置１７００（図１７にて後述する）によって回収された有機物ゴミの回収量の情報を含む。
【００３８】
プロジェクトＩＤは、管理サーバ１２０が、プロジェクトデータ３１０を識別するための符号を示す。
【００３９】
「カテゴリ」は、プロジェクトのカテゴリを示す。例えば、カテゴリは、ボランティア、企業活動、等である。
【００４０】
「日時」は、プロジェクトの実行される日時を示す。例えば、日時は、「２０２０年１２月１日」等である。
【００４１】
「エリア」は、プロジェクトの実行されるエリアを示す。例えば、エリアは、「東京都港区〇〇」等である。
【００４２】
「回収量」は、プロジェクトで回収者が実際に回収したゴミの容量を示す。また、ゴミの回収に伴い生成されるセラミック灰の容量を示すこととしても良い。例えば、回収量は、「１００ｋｇ」等と示される。また、回収量は、回収者端末１１０が回収作業後に回収者から入力を受付けて管理サーバ１２０に送信することにより更新される。
【００４３】
「進捗状況」は、プロジェクトの進行度合いを示す。例えば、進捗状況は、「８０％」等と示される。
【００４４】
「参加ユーザ」は、プロジェクトに参加するユーザについての情報を示す。
＜全体処理＞
図４は、本発明の一実施の形態における全体処理の概要を示す図である。
【００４５】
まず、Ｓ４０１にて、管理サーバ１２０はユーザ情報取得処理およびユーザ情報記憶処理（図５で後述する）を行う。
【００４６】
まず、Ｓ４０２にて、管理サーバ１２０は回収者情報取得処理および回収者情報記憶処理（図６で後述する）を行う。
【００４７】
次に、Ｓ４０３にて、管理サーバ１２０はプロジェクト画面生成処理およびプロジェクト画面提供処理（図７〜９で後述する）を行う。
【００４８】
次に、Ｓ４０４にて、管理サーバ１２０は回収物分析処理（図１０で後述する）を行う。
【００４９】
次に、Ｓ４０５にて、管理サーバ１２０はノベルティ販売画面生成処理およびノベルティ販売画面提供処理（図１１〜１３で後述する）を行う。
【００５０】
次に、Ｓ４０６にて、管理サーバ１２０は広告画面生成処理および広告画面提供処理（図１４〜１６で後述する）を行う。
＜ユーザ情報記憶処理＞
図５（ａ）は、本発明の一実施の形態におけるユーザ情報記憶処理の概要を示す図である。以下、管理サーバ１２０が、ユーザ情報２００を記憶する方法について説明する。
【００５１】
まず、Ｓ５０１にて、管理サーバ１２０は、ユーザ情報入力画面をユーザ端末１００に提供する。次に、Ｓ５０２にて、ユーザ端末１００は、ユーザ情報入力画面をディスプレイに表示させる。
【００５２】
その後、ユーザが本発明に係るシステムを初めて利用する場合、または、活動データ２１０を変更（更新）する場合、Ｓ５０３にて、ユーザ端末１００は、ユーザ情報２００の入力をユーザから受け付ける。なお、この際ユーザから受け付けたユーザ情報２００は、活動データ２１０を含む。また、ユーザが入力する情報には、外部アカウント（ＳＮＳ等）のログイン情報や、パスワードを含めても良い。
【００５３】
次に、Ｓ５０４にて、ユーザ端末１００は、Ｓ５０３で入力を受け付けたユーザ情報２００を管理サーバ１２０に送信する。
【００５４】
次に、Ｓ５０５にて、管理サーバ１２０は、Ｓ５０４で送信されたユーザ情報２００を受信することにより、ユーザ情報２００を取得する。次に、Ｓ５０６にて、管理サーバ１２０は、受信したユーザ情報２００にユーザＩＤを付して、Ｓ５０３にて入力を受け付けたユーザ情報２００をユーザ情報記憶部１３０に記憶する。
＜ユーザ情報取得処理＞
図５（ｂ）は、本発明の一実施の形態におけるユーザ情報取得処理の概要を示す図である。以下、管理サーバ１２０が、ユーザ情報２００を取得する方法について説明する。
【００５５】
ユーザが本発明に係るシステムを２回目以降利用する場合、Ｓ５０７にて、ユーザ端末１００はユーザＩＤの入力をユーザから受け付ける。なお、ユーザＩＤは、ユーザ情報２００に含まれる。
【００５６】
次に、Ｓ５０８にて、ユーザ端末１００は、Ｓ５０７で入力を受け付けたユーザＩＤを管理サーバ１２０に送信する。
【００５７】
その後、Ｓ５０９にて、管理サーバ１２０は、Ｓ５０８で送信されたユーザＩＤのキーに対応するユーザ情報２００をユーザ情報記憶部１３０から取得する。
＜回収者情報記憶処理＞
図６（ａ）は、本発明の一実施の形態における回収者情報記憶処理の概要を示す図である。以下、管理サーバ１２０が、回収者情報３００を記憶する方法について説明する。
【００５８】
まず、Ｓ６０１にて、管理サーバ１２０は、回収者情報入力画面を回収者端末１１０に提供する。次に、Ｓ６０２にて、回収者端末１１０は、回収者情報入力画面をディスプレイに表示させる。
【００５９】
その後、回収者が本発明に係るシステムを初めて利用する場合、または、プロジェクトデータ３１０を変更（更新）する場合、Ｓ６０３にて、回収者端末１１０は、回収者情報３００の入力を回収者から受け付ける。なお、この際、回収者から受け付けた回収者情報３００は、プロジェクトデータ３１０を含む。また、回収者が入力する情報には、外部アカウント（ＳＮＳ等）のログイン情報や、パスワードを含めても良い。
【００６０】
次に、Ｓ６０４にて、回収者端末１１０は、Ｓ６０３で入力を受け付けた回収者情報３００を管理サーバ１２０に送信する。
【００６１】
次に、Ｓ６０５にて、管理サーバ１２０は、Ｓ６０４で送信された回収者情報３００を受信することにより、回収者情報３００を取得する。次に、Ｓ６０６にて、管理サーバ１２０は、受信した回収者情報３００に回収者ＩＤを付して、Ｓ６０３にて入力を受け付けた回収者情報３００を回収者情報記憶部１３１に記憶する。
＜回収者情報取得処理＞
図６（ｂ）は、本発明の一実施の形態における回収者情報取得処理の概要を示す図である。以下、管理サーバ１２０が、回収者情報３００を取得する方法について説明する。
【００６２】
回収者が本発明に係るシステムを２回目以降利用する場合、Ｓ６０７にて、回収者端末１１０は回収者ＩＤの入力を回収者から受け付ける。なお、回収者ＩＤは、回収者情報３００に含まれる。
【００６３】
次に、Ｓ６０８にて、回収者端末１１０は、Ｓ６０７で入力を受け付けた回収者ＩＤを管理サーバ１２０に送信する。
【００６４】
その後、Ｓ６０９にて、管理サーバ１２０は、Ｓ６０８で送信された回収者ＩＤのキーに対応する回収者情報３００を回収者情報記憶部１３１から取得する。
＜プロジェクト画面＞
図７は、本発明の一実施の形態におけるプロジェクト画面７００の概要を示す図である。
【００６５】
図７に示されるように、プロジェクト画面７００は、プロジェクト表示領域７１０と、参加タブ７２０と、ノベルティタブ７３０とを含む。プロジェクト画面７００は、ユーザ端末１００に表示される。
【００６６】
プロジェクト表示領域７１０は、回収者情報３００に含まれるプロジェクトデータ３１０の内容等を表示させる。例えば、プロジェクト表示領域７１０は、プロジェクトＩＤ、カテゴリ、日時、エリア、回収量、進捗状況、参加ユーザ、等の内容を表示させる。なお、プロジェクト表示領域７１０の表示のさせ方については特に限定されない。
【００６７】
参加タブ７２０は、ユーザがプロジェクトへ参加を希望する場合に、ユーザから入力を受け付けることでユーザをプロジェクトへ参加させるためのタブを示す。すなわち、参加タブ７２０がユーザからタップまたはクリックの入力を受け付けることにより、管理サーバ１２０は、ユーザ情報２００の活動データ２１０のうち参加プロジェクトの内容を更新して記憶する。
【００６８】
ノベルティタブ７３０は、ユーザがノベルティ販売画面１１００の生成を要求するためのタブを示す。すなわち、ノベルティタブ７３０がユーザからタップまたはクリックの入力を受け付けることにより、管理サーバ１２０は、ノベルティ販売画面１１００の生成をノベルティ販売画面生成部１６０に要求する。
【００６９】
このようにして、管理サーバ１２０は、ユーザが参加したいプロジェクトを一覧表示により容易に把握させることができ、ユーザに対し容易にプロジェクトへ参加させることができる。
＜プロジェクト画面生成処理＞
図８は、本発明の一実施の形態におけるプロジェクト画面生成処理の概要を示す図である。
【００７０】
まず、Ｓ８０１にて、管理サーバ１２０のプロジェクト画面生成部１４０は、プロジェクト画面７００の生成を希望するユーザについてのユーザ情報２００をユーザ情報記憶部１３０から取得する。
【００７１】
次に、Ｓ８０２にて、プロジェクト画面生成部１４０は、Ｓ８０１で取得したユーザ情報２００に含まれる活動データ２１０を参照し対応する実行プロジェクトについてのプロジェクトＩＤを抽出する。
【００７２】
次に、Ｓ８０３にて、プロジェクト画面生成部１４０は、Ｓ８０２で抽出したプロジェクトＩＤを参照し対応するプロジェクトデータ３１０を含む回収者情報３００を回収者情報記憶部１３１から取得する。
【００７３】
次に、Ｓ８０４にて、プロジェクト画面生成部１４０は、Ｓ８０３で取得した回収者情報３００に含まれるプロジェクトデータ３１０を抽出する。
【００７４】
次に、Ｓ８０５にて、プロジェクト画面生成部１４０は、Ｓ８０４で抽出したプロジェクトデータ３１０の内容に基づいてプロジェクト画面７００を生成する。
【００７５】
例えば、プロジェクト画面生成部１４０は、プロジェクトデータ３１０のうち、カテゴリ「ボランティア」、日時「２０２０年１２月１日」、エリア「東京都」、回収量「５００ｋｇ」等である場合、その各項目の内容に基づいてプロジェクト画面７００を生成する。
【００７６】
次に、Ｓ８０６にて、プロジェクト画面生成部１４０は、Ｓ８０５で生成したプロジェクト画面７００をプロジェクト画面記憶部１３２に記憶する。
【００７７】
次に、Ｓ８０７にて、プロジェクト画面生成部１４０は、プロジェクト画面７００の提供をプロジェクト画面提供部１４１に要求する。
＜プロジェクト画面提供処理＞
図９は、本発明の一実施の形態におけるプロジェクト画面提供処理の概要を示す図である。
【００７８】
まず、Ｓ９０１にて、管理サーバ１２０のプロジェクト画面提供部１４１は、Ｓ８０７で要求されたプロジェクト画面７００の提供リクエストを受け付ける。
【００７９】
次に、Ｓ９０２にて、プロジェクト画面提供部１４１は、提供したいプロジェクト画面７００をプロジェクト画面記憶部１３２から抽出する。
【００８０】
次に、Ｓ９０３にて、プロジェクト画面提供部１４１は、プロジェクト画面７００を提供したいユーザに対応するユーザ情報２００をユーザ情報記憶部１３０から抽出する。
【００８１】
次に、Ｓ９０４にて、プロジェクト画面提供部１４１は、Ｓ９０３で抽出したユーザ情報に含まれるユーザの連絡先を参照し、Ｓ９０２で抽出したプロジェクト画面７００を当該連絡先に対応したユーザ端末１００に提供する。
【００８２】
次に、Ｓ９０５にて、ユーザ端末１００は、Ｓ９０４で管理サーバ１２０から提供されたプロジェクト画面７００を、端末のディスプレイに表示させる。
【００８３】
次に、Ｓ９０６にて、ユーザ端末１００は、ユーザから参加タブ７２０の押下入力を受付けたか否かを判定する。ユーザから参加タブ７２０の押下入力を受付けた場合、ユーザ端末１００は、工程Ｓ９０７へ進行する。ユーザから参加タブ７２０の押下入力を受付けない場合、ユーザ端末１００は、工程Ｓ９０８へ進行する。
【００８４】
Ｓ９０７にて、ユーザ端末１００は、ユーザ情報更新指示を管理サーバ１２０に送信する。その後、管理サーバ１２０は、ユーザ情報２００の活動データ２１０のうち「参加プロジェクト」の内容を更新してユーザ情報記憶部１３０に記憶する。
【００８５】
例えば、ユーザ端末１００がユーザから「プロジェクトＰ０００１」の参加タブ７２０の押下入力を受付けた場合、管理サーバ１２０は、ユーザ情報２００の活動データ２１０のうち「参加プロジェクト」の内容に「プロジェクトＰ０００１」を加えてユーザ情報２００を更新し、ユーザ情報記憶部１３０に記憶する。
【００８６】
次に、Ｓ９０８にて、ユーザ端末１００は、ユーザからノベルティタブ７３０の押下入力を受付けたか否かを判定する。ユーザからノベルティタブ７３０の押下入力を受付けた場合、ユーザ端末１００は、工程Ｓ９０９へ進行する。ユーザからノベルティタブ７３０の押下入力を受付けない場合、ユーザ端末１００は、本工程を終了する。
【００８７】
Ｓ９０９にて、ユーザ端末１００は、回収物分析指示を管理サーバ１２０に送信する。その後、管理サーバ１２０は、回収物分析処理を回収物分析部１５０に要求する。
【００８８】
このように、ユーザ端末１００にプロジェクト画面７００を提供することにより、管理サーバ１２０は、ユーザが参加を希望するプロジェクトを容易に提供できる。すなわち、ユーザは、プロジェクト画面７００を閲覧することで、自らが希望するプロジェクトを容易に選択し参加できる。
＜回収物分析処理＞
図１０は、本発明の一実施の形態における回収物分析処理の概要を示す図である。
【００８９】
まず、Ｓ１００１にて、管理サーバ１２０の回収物分析部１５０は、Ｓ９０７で要求された回収物分析処理のリクエストを受け付ける。
【００９０】
次に、Ｓ１００２にて、回収物分析部１５０は、回収者情報記憶部１３１から回収者情報３００を取得する。
【００９１】
次に、Ｓ１００３にて、回収物分析部１５０は、取得した回収者情報３００に含まれるプロジェクトデータ３１０を抽出する。
【００９２】
次に、Ｓ１００４にて、回収物分析部１５０は、Ｓ１００３で抽出したプロジェクトデータ３１０の中のプロジェクトに紐付いた「参加ユーザ」の情報を抽出する。
【００９３】
次に、Ｓ１００５にて、回収物分析部１５０は、Ｓ１００４で抽出した参加ユーザに含まれるユーザに対応するユーザ情報２００をユーザ情報記憶部１３０から取得する。
【００９４】
次に、Ｓ１００６にて、回収物分析部１５０は、取得したユーザ情報２００に含まれる活動データ２１０を抽出する。
【００９５】
次に、Ｓ１００７にて、回収物分析部１５０は、Ｓ１００３で抽出したプロジェクトデータ３１０に含まれる回収量と、Ｓ１００６で抽出した活動データ２１０に含まれる予想回収量の内容とに基づいて分析結果１０００を生成する。なお、回収物分析部１５０は、Ｓ１００３で抽出したプロジェクトデータ３１０の「回収量」以外の項目、すなわち、日時、エリア、等の内容に基づいて分析結果１０００を生成しても良い。
【００９６】
例えば、Ｓ１００３で抽出したプロジェクトデータ３１０に含まれる回収量が「４００ｋｇ」であり、Ｓ１００６で抽出した活動データ２１０に含まれる予想回収量が「５００ｋｇ」である場合、分析結果１０００は、「回収量４００ｋｇ、進捗状況８０％」とできる。また、参加ユーザの総回収量に対するユーザの回収量を算出し、ユーザの「貢献度」を分析結果１０００として生成できる。その他、分析結果１０００は、プロジェクトデータ３１０のうちの日時、エリア、等をそのまま含んでも良い。
【００９７】
次に、Ｓ１００８にて、回収物分析部１５０は、Ｓ１００７で生成した分析結果１０００を分析結果記憶部１３３に記憶する。
【００９８】
次に、Ｓ１００９にて、回収物分析部１５０は、ノベルティ販売画面１１００の生成を、ノベルティ販売画面生成部１６０に要求する。
【００９９】
このように、分析結果１０００を生成することで、管理サーバ１２０は、ノベルティ情報１２００を生成し、ユーザにノベルティを販売できる。すなわち、移動式熱処理装置によってゴミを処理することで排出されたセラミック灰の量に応じたノベルティを販売でき、ユーザのリサイクルに対するモチベーションを向上できる。
＜ノベルティ販売画面＞
図１１は、本発明の一実施の形態におけるノベルティ販売画面１１００の概要を示す図である。
【０１００】
図１１に示されるように、ノベルティ販売画面１１００は、分析結果表示領域１１１０と、ノベルティ表示領域１１２０と、購入タブ１１３０と、を含む。ノベルティ販売画面１１００は、ユーザ端末１００に表示される。
【０１０１】
分析結果表示領域１１１０は、回収物分析部１５０が生成した分析結果１０００の内容を表示させる。例えば、分析結果表示領域１１１０は、「カテゴリ」、「エリア」、「回収量」、「進捗状況」等を表示させる。なお、分析結果表示領域１１１０の表示のさせ方については特に限定されない。
【０１０２】
ノベルティ表示領域１１２０は、ノベルティ販売画面生成部１６０がＳ１２０４（後述、図１２）で生成したノベルティ情報１２００を表示させる。なお、ノベルティ表示領域１１２０の表示のさせ方については特に限定されない。
【０１０３】
ノベルティ情報１２００は、分析結果１０００の内容に基づいて生成される。例えば、ノベルティ情報１２００は、「コースター：最大１００個」、「アロマストーン：最大７０個」、等が含まれる。これは、分析結果１０００のうち「回収量」の数値に基づき生成され、例えば、回収量が１００ｋｇの場合、コースターが１００個とアロマストーンが７０個を製造できるとして自動算出される。
【０１０４】
また、ノベルティ情報１２００は、分析結果１０００のうち「エリア」や「日時」、「進捗状況」に基づいて生成されても良い。例えば、エリアが「北海道」の場合、ノベルティ情報１２００は、北海道にちなんだ製品をノベルティとして生成される。また、日時が「８月」の場合、ノベルティ情報１２００は、夏の季節にちなんだ製品をノベルティとして生成される。また、進捗状況が高い場合、ノベルティ情報１２００は、高価な製品をノベルティとして生成されるようにしても良い。
【０１０５】
購入タブ１１３０は、ノベルティ販売画面１１００に表示されたノベルティをユーザに購入させ、広告画面１４００を生成するためのタブを示す。すなわち、購入タブ１１３０がユーザからタップまたはクリックの入力を受け付けることにより、管理サーバ１２０は、広告画面１４００の生成を広告画面生成部１７０に要求する。
【０１０６】
以上のようにして、管理サーバ１２０は、ノベルティ販売画面１１００によりユーザに対し、自己の参加したプロジェクトの活動の結果、購入可能なノベルティ製品を容易に把握させることができる。
＜ノベルティ販売画面生成処理＞
図１２は、本発明の一実施の形態におけるノベルティ販売画面生成処理の概要を示す図である。
【０１０７】
まず、Ｓ１２０１にて、管理サーバ１２０のノベルティ販売画面生成部１６０は、Ｓ１００９で要求されたノベルティ販売画面１１００の生成リクエストを受け付ける。次に、Ｓ１２０２にて、ノベルティ販売画面生成部１６０は、ノベルティ販売画面１１００の生成を要求するユーザのユーザ情報２００を取得する。
【０１０８】
次に、Ｓ１２０３にて、ノベルティ販売画面生成部１６０は、Ｓ１２０２で取得したユーザ情報２００のうち活動データ２１０を参照し対応する分析結果１０００を分析結果記憶部１３３から取得する。
【０１０９】
次に、Ｓ１２０４にて、ノベルティ販売画面生成部１６０は、Ｓ１２０２で取得したユーザ情報２００とＳ１２０３で取得した分析結果１０００とに基づいてノベルティ情報１２００を生成する。ノベルティ情報１２００は、分析結果１０００のうち「回収量」の数値に基づき生成され、例えば、回収量が１００ｋｇの場合、コースターが１００個とアロマストーンが７０個を製造できるとして自動算出される。また、ノベルティ情報１２００は、分析結果１０００のうち「エリア」や「日時」、「進捗状況」に基づいて生成されても良い。
【０１１０】
次に、Ｓ１２０５にて、ノベルティ販売画面生成部１６０は、Ｓ１２０４で生成したノベルティ情報１２００に基づいてノベルティ販売画面１１００を生成する。
【０１１１】
次に、Ｓ１２０６にて、ノベルティ販売画面生成部１６０は、Ｓ１２０５で生成したノベルティ販売画面１１００をノベルティ販売画面記憶部１３４に記憶する。
【０１１２】
次に、Ｓ１２０７にて、ノベルティ販売画面生成部１６０は、ノベルティ販売画面１１００の提供をノベルティ販売画面提供部１６１に要求する。
＜ノベルティ販売画面提供処理＞
図１３は、本発明の一実施の形態におけるノベルティ販売画面提供処理の構成例の概要を示す図である。
【０１１３】
まず、Ｓ１３０１にて、管理サーバ１２０のノベルティ販売画面提供部１６１は、Ｓ１２０７で要求されたノベルティ販売画面１１００の提供リクエストを受け付ける。
【０１１４】
次に、Ｓ１３０２にて、ノベルティ販売画面提供部１６１は、提供したいノベルティ販売画面１１００をノベルティ販売画面記憶部１３４から抽出する。
【０１１５】
次に、Ｓ１３０３にて、ノベルティ販売画面提供部１６１は、Ｓ１３０２で抽出したノベルティ販売画面１１００を提供したいユーザに対応するユーザ情報２００をユーザ情報記憶部１３０から抽出する。
【０１１６】
次に、Ｓ１３０４にて、ノベルティ販売画面提供部１６１は、Ｓ１３０３で抽出したユーザ情報に含まれるユーザの連絡先を参照し、Ｓ１３０３で抽出したノベルティ販売画面１１００を当該連絡先に対応したユーザ端末１００に提供する。
【０１１７】
次に、Ｓ１３０５にて、ユーザ端末１００は、Ｓ１３０４で管理サーバ１２０から提供されたノベルティ販売画面１１００を、端末のディスプレイに表示させる。
【０１１８】
次に、Ｓ１３０６にて、ユーザ端末１００は、ユーザから購入タブ１１３０の押下入力を受付けたか否かを判定する。ユーザから購入タブ１１３０の押下入力を受付けた場合、ユーザ端末１００は、工程Ｓ１３０７へ進行する。ユーザから購入タブ１１３０の押下入力を受付けない場合、ユーザ端末１００は、本工程を終了する。
【０１１９】
Ｓ１３０７にて、ユーザ端末１００は、広告画面生成指示を管理サーバ１２０に送信する。その後、管理サーバ１２０は、広告画面１４００の生成を広告画面生成部１７０に要求する。
【０１２０】
このようにして、管理サーバ１２０は、ノベルティ販売画面１１００によりユーザに対し、自己の参加したプロジェクトの活動の結果、購入可能なノベルティ製品を容易に把握させることができる。
＜広告画面＞
図１４は、本発明の一実施の形態における広告画面１４００の概念を示す図である。
【０１２１】
図１４に示されるように、広告画面１４００は、広告表示領域１４１０を含む。広告画面１４００は、ユーザ端末１００に表示される。
【０１２２】
広告表示領域１４１０は、広告画面生成部１７０がＳ１５０４で抽出した広告用情報１５００（後述、図１５）の内容を表示させる。
【０１２３】
例えば、広告表示領域１４１０は、「お客様にはアロマオイル〇〇〇〇がお薦めです」、「価格は３０００円です」等を表示させる。なお、広告表示領域１４１０の表示のさせ方については特に限定されない。
【０１２４】
このようにして、管理サーバ１２０は、ユーザが実行したプロジェクトの活動実績に基づいた広告を容易にリコメンドできる。また、管理サーバ１２０は、活動実績に応じた広告をユーザにリコメンドすることにより、ユーザに対しリサイクル活動への積極的な参加を促進できる。
＜広告画面生成処理＞
図１５は、本発明の一実施の形態における広告画面生成処理の概要を示す図である。
【０１２５】
まず、Ｓ１５０１にて、管理サーバ１２０の広告画面生成部１７０は、Ｓ１３０７で要求された広告画面１４００の生成リクエストを受け付ける。次に、Ｓ１５０２にて、広告画面生成部１７０は、広告画面１４００の生成を要求するユーザのユーザ情報２００を取得する。
【０１２６】
次に、Ｓ１５０３にて、広告画面生成部１７０は、Ｓ１５０２で取得したユーザ情報２００のうち活動データ２１０を参照し対応する分析結果１０００を分析結果記憶部１３３から取得する。具体的には、広告画面生成部１７０は、活動データ２１０に含まれる実行プロジェクトを参照し、対応するプロジェクトに紐付いている分析結果１０００を分析結果記憶部１３３から取得する。
【０１２７】
次に、Ｓ１５０４にて、広告画面生成部１７０は、Ｓ１５０３で取得した分析結果１０００の内容に対応する広告用情報１５００を広告用情報データベース１３５から抽出する。例えば、取得した分析結果１０００の内容が、「エリア：北海道」、「日時：８月」、「進捗状況：９０％」である場合、広告画面生成部１７０は、「夕張メロン」を広告用情報１５００に含み広告用情報データベース１３５から抽出する。
【０１２８】
次に、Ｓ１５０５にて、広告画面生成部１７０は、Ｓ１５０２で取得したユーザ情報２００と、Ｓ１５０４で抽出した広告用情報１５００とに基づいて広告画面１４００を生成する。
【０１２９】
次に、Ｓ１５０６にて、広告画面生成部１７０は、Ｓ１５０５で生成した広告画面１４００を広告画面記憶部１３６に記憶する。
【０１３０】
次に、Ｓ１５０７にて、広告画面生成部１７０は、広告画面１４００の提供を広告画面提供部１７１に要求する。
＜広告画面提供処理＞
図１６は、本発明の一実施の形態における広告画面提供処理の構成例の概要を示す図である。
【０１３１】
まず、Ｓ１６０１にて、管理サーバ１２０の広告画面提供部１７１は、Ｓ１５０７で要求された広告画面１４００の提供リクエストを受け付ける。
【０１３２】
次に、Ｓ１６０２にて、広告画面提供部１７１は、提供したい広告画面１４００を広告画面記憶部１３６から抽出する。
【０１３３】
次に、Ｓ１６０３にて、広告画面提供部１７１は、広告画面１４００を提供したいユーザに対応するユーザ情報２００をユーザ情報記憶部１３０から抽出する。
【０１３４】
次に、Ｓ１６０４にて、広告画面提供部１７１は、Ｓ１６０２で抽出した広告画面１４００をユーザ端末１００に提供する。
【０１３５】
次に、Ｓ１６０５にて、ユーザ端末１００は、Ｓ１６０４で管理サーバ１２０から提供された広告画面１４００を、端末のディスプレイに表示させる。
【０１３６】
このように、ユーザ端末１００に広告画面１４００を提供することにより、管理サーバ１２０は、ユーザに対し、ユーザが実行したプロジェクトの活動実績に基づいた広告を容易にリコメンドできる。
＜作業の流れの概要＞
図１７および図１８は、本発明の一実施の形態における作業の流れを示す概念図である。
【０１３７】
図１７で示すように、まず、ユーザ端末１００が、ユーザである甲からユーザ情報２００と活動データ２１０との入力を受け付け、管理サーバ１２０に送信する。一方、回収者端末１１０が、回収者である丙から回収者情報３００とプロジェクトデータ３１０との入力を受け付け、管理サーバ１２０に送信する。
【０１３８】
この際、丙のプロジェクトデータ３１０に含まれるプロジェクト（例えば、プロジェクトＰ０００１とする）に甲が参加することで、プロジェクトＰ０００１が発足される。なお、甲はプロジェクトＰ０００１に対応する現場１０１（現場αとする）を有する。
【０１３９】
例えば、プロジェクトＰ０００１の内容は、「現場αでユーザ甲が行うボランティア活動による有機物ゴミの引き取り作業」であるとする。また、ユーザ甲は、ユーザ端末１００に「予想回収量：５００ｋｇ」と入力して、管理サーバ１２０に送信したとする。
【０１４０】
その後、回収者丙は、移動式熱処理装置１７００によって、プロジェクトＰ０００１の参加ユーザ甲の現場αへ移動する。そして、丙は、移動式熱処理装置１７００により現場αのゴミの回収作業を行う。例えば、丙は５００ｋｇのゴミのうち、３５０ｋｇを回収したとする。
【０１４１】
なお、移動式熱処理装置１７００は、トラック等の自動車に熱処理装置１７１０を積載したものである。熱処理装置１７１０は、有機物ゴミを熱分解により焼却処理を行う。この際、熱処理装置１７１０は、化石燃料を使用せずに有機物を処理できる。そして、熱処理装置１７１０は、熱処理に伴いセラミック灰を生成する。すなわち、回収量は、プロジェクトで回収者が実際に回収したゴミの容量を示すと同時に、上記生成されるセラミック灰の容量を示すこととしても良い。
【０１４２】
次に、図１８で示すように、ユーザ乙のユーザ端末１００が、乙からユーザ情報２００と活動データ２１０との入力を受け付け、管理サーバ１２０に送信する。一方、丙は、現場αでの回収量を更新し、当該回収量の情報をプロジェクトデータ３１０に含めて管理サーバ１２０に送信する。例えば、現場αで、丙が３５０ｋｇを回収したとすると、丙は、「回収量：３５０ｋｇ」としてプロジェクトデータ３１０を管理サーバ１２０に送信する。なお、この場合、プロジェクトデータ３１０に含まれる進捗状況は「７０％」となる。
【０１４３】
また、プロジェクトＰ０００１に乙が参加したとすると、丙は乙が有する現場βに移動する。そして、丙は、移動式熱処理装置１７００により現場βのゴミの回収作業を行う。以降、丙は、上記と同様の工程を繰り返す。
【０１４４】
このようにして、管理サーバ１２０は、プロジェクトに参加するユーザ及び回収者から回収作業と並行する情報を随時受け付けることにより、リアルタイムなプロジェクトの情報を全てのユーザに提供できる。すなわち、プロジェクトに参加していないユーザが、プロジェクトの進捗状況をリアルタイムに把握でき、エリア、日時、等の条件が希望に近いプロジェクトに容易に参加できる。
＜本実施の形態の効果＞
以上説明した本発明の実施の形態によれば、管理サーバ１２０は、移動式熱処理装置１７００が有機物ゴミの回収処理を行い生成するセラミック灰を利用して、ノベルティを製造し、その販売を通じて循環型社会の進展に貢献できる。
【０１４５】
以上、本発明者によってなされた発明を実施の形態に基づき具体的に説明したが、本発明は前記実施の形態に限定されるものではなく、その要旨を逸脱しない範囲で種々変更可能であることはいうまでもない。たとえば、ユーザ端末は、スマートフォン以外にも、ノート型ＰＣや、タブレット端末等の様々な形態のユーザ端末を全て含むものである。
【０１４６】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【０１４７】
また、上記の各構成、機能、処理部は、それらの一部又は全部を、ハードウェア（例えば、集積回路）で実現してもよい。また、上記の各構成、機能、処理部は、プロセッサがそれぞれの機能を実現するプログラムを解釈し、実行するネットワーク経由もしくはディスク等記憶媒体によるインストール型のソフトウェア、また、ＡＳＰなどのネットワーク型アプリケーションで実現してもよい。各機能を実現するプログラム、テーブル、ファイル等の情報は、メモリや、ハードディスク、ＳＳＤ（ＳｏｌｉｄＳｔａｔｅＤｒｉｖｅ）等の記録装置、または、ＩＣカード、ＳＤカード、ＤＶＤ等の記録媒体に置くことができる。
【符号の説明】
【０１４８】
１００…ユーザ端末
１０１…回収現場
１１０…回収者端末
１２０…管理サーバ
１３０…ユーザ情報記憶部
１３１…回収者情報記憶部
１３２…プロジェクト画面記憶部
１３３…分析結果記憶部
１３４…ノベルティ販売画面記憶部
１３５…広告用情報データベース
１３６…広告画面記憶部
１４０…プロジェクト画面生成部
１４１…プロジェクト画面提供部
１５０…回収物分析部
１６０…ノベルティ販売画面生成部
１６１…ノベルティ販売画面提供部
１７０…広告画面生成部
１７１…広告画面提供部
７００…プロジェクト画面
１１００…ノベルティ販売画面
１４００…広告画面
１７００…移動式熱処理装置
【要約】      （修正有）【課題】移動式熱処理装置が有機物ゴミの回収処理を行い生成するセラミック灰を利用して、ノベルティを製造し、その販売を通じて循環型社会の進展に貢献可能なリサイクルシステムを提供する。【解決手段】リサイクルシステムにおいて、ユーザ端末と、回収者端末と、ユーザ端末及び回収者端末とネットワークを介して接続される管理サーバは、プロジェクト画面の生成に要する回収者情報を回収者情報記憶部から取得し、取得した回収者情報に含まれるプロジェクトデータを抽出し、抽出したプロジェクトデータに基づいてプロジェクト画面を生成するプロジェクト画面生成部と、生成したプロジェクト画面をユーザ端末に提供するプロジェクト画面提供部と、を有する。プロジェクトデータは、移動式熱処理装置によって回収された有機物ゴミの回収量の情報を含む。回収量は、回収者端末が回収作業後に回収者から入力を受付けて管理サーバに送信することにより更新される。【選択図】図１【図１】
0006987415.tif 000002
【図２】
0006987415.tif 000003
【図３】
0006987415.tif 000004
【図４】
0006987415.tif 000005
【図５】
0006987415.tif 000006
【図６】
0006987415.tif 000007
【図７】
0006987415.tif 000008
【図８】
0006987415.tif 000009
【図９】
0006987415.tif 000010
【図１０】
0006987415.tif 000011
【図１１】
0006987415.tif 000012
【図１２】
0006987415.tif 000013
【図１３】
0006987415.tif 000014
【図１４】
0006987415.tif 000015
【図１５】
0006987415.tif 000016
【図１６】
0006987415.tif 000017
【図１７】
0006987415.tif 000018
【図１８】
0006987415.tif 000019